【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
撮影レンズからの光束により形成された被写体像を光電変換する撮像素子と、
前記光束を用いて被写体像の観察を可能とするファインダ光学系と、
前記光束を用いて前記撮影レンズの焦点状態を検出する焦点検出手段と、
前記光束を前記ファインダ光学系および前記焦点検出手段に向けて反射する第１の状態と前記光束を前記撮像素子に向けて透過させる第２の状態とに切り換え駆動されるミラーユニットと、
前記光束を前記撮像素子に到達させる開き状態と、前記光束を前記撮像素子に到達させない閉じ状態とで駆動されるシャッタユニットとを有し、
前記ミラーユニットの前記第１の状態から前記第２の状態への切り換え駆動に連動させて前記シャッタユニットを前記閉じ状態から前記開き状態とすることを特徴とする撮像装置。
【請求項２】
前記シャッタユニットは、前記光束が通過する開口部に対して重畳および展開動作する第１および第２の遮光羽根群を有し、
前記第１及び第２の遮光羽根群のうち一方の遮光羽根群に対して係合可能な保持機構を有しており、
前記ミラーユニットが前記第１の状態から前記第２の状態に切り換わるときに、前記第１及び第２の遮光羽根群のうち展開状態にある遮光羽根群を重畳させるとともに、重畳状態にある遮光羽根群を前記保持機構によって重畳状態に保持させることを特徴とする請求項１に記載の撮像装置。
【請求項３】
前記シャッタユニットは、前記光束が通過する開口部に対して重畳および展開動作する第１および第２の遮光羽根群を有し、
前記ミラーユニットが前記第１の状態から前記第２の状態に切り換わるときに、前記第１および第２の遮光羽根群のうち一方の遮光羽根群の重畳動作を許容するとともに、他方の遮光羽根群を重畳させる駆動部材を有することを特徴とする請求項１に記載の撮像装置。
【請求項４】
前記第２の状態は、前記光束を前記撮像素子に向けて透過させるとともに前記焦点検出手段に向けて反射する状態であることを特徴とする請求項１から３のいずれか１つに記載の撮像装置。
【請求項５】
前記ミラーユニットは、前記光束の一部を反射し、残りを透過させる第１のミラー部材と、該第１のミラー部材を透過した光束を反射する第２のミラー部材とにより構成されており、
前記第１の状態では前記第１および第２のミラー部材が前記光束の光路内に配置され、前記第２の状態では前記第１のミラー部材が前記光路内に配置されるとともに前記第２のミラー部材が前記光路から退避し、
画像記録動作時には前記第１および第２のミラー部材が前記光路から退避することを特徴とする請求項４に記載の撮像装置。
【手続補正２】
【補正対象書類名】明細書
【補正対象項目名】０００７
【補正方法】変更
【補正の内容】
【０００７】
本発明の撮像装置は、撮影レンズからの光束により形成された被写体像を光電変換する撮像素子と、前記光束を用いて被写体像の観察を可能とするファインダ光学系と、前記光束を用いて前記撮影レンズの焦点状態を検出する焦点検出手段と、前記光束を前記ファインダ光学系および前記焦点検出手段に向けて反射する第１の状態と前記光束を前記撮像素子に向けて透過させる第２の状態とに切り換え駆動されるミラーユニットと、前記光束を前記撮像素子に到達させる開き状態と、前記光束を前記撮像素子に到達させない閉じ状態とで駆動されるシャッタユニットとを有している。そして、前記ミラーユニットの第１の状態から第２の状態への切り換え駆動に連動させて前記シャッタユニットを開き状態とすることを特徴とする。
【手続補正３】
【補正対象書類名】明細書
【補正対象項目名】００１７
【補正方法】変更
【補正の内容】
【００１７】
１４はＳＷ１であり、撮影準備動作（測光動作や焦点調節動作）を開始させるためのスイッチである。１５はＳＷ２であり、撮影動作（画像記録動作：撮像素子への露光及び撮像素子から読み出された画像の記録媒体への記録）を開始させるためのスイッチである。
【手続補正４】
【補正対象書類名】明細書
【補正対象項目名】００５７
【補正方法】変更
【補正の内容】
【００５７】
４３０は、シャッタ先駆動レバー４１２及びシャッタ後駆動レバー４２２をチャージ駆動するためのシャッタチャージレバーである。シャッタチャージレバー４３０は、シャッタ駆動レバー３２０に形成されたシャッタ駆動部３２１と係合しており、シャッタ駆動レバー３２０の回動に応じて動作するようになっている。
【手続補正５】
【補正対象書類名】明細書
【補正対象項目名】００６２
【補正方法】変更
【補正の内容】
【００６２】
ここで、ハーフミラー１０１およびサブミラー２０２が図３に示す状態にあるとき、シャッタ後幕保持レバー４０２およびシャッタ後幕保持駆動レバー４０３は、外部からの駆動力の入力を受けて一体的に駆動され、シャッタ後駆動レバー４２２と係合することによりシャッタ後幕４２１を重畳状態で保持させる。
【手続補正６】
【補正対象書類名】明細書
【補正対象項目名】００６４
【補正方法】変更
【補正の内容】
【００６４】
図５は、カメラシステムがＯＶＦモードに設定されているときのミラーユニットの状態（第１の光路分割状態：第１の状態）を示す図であり、上述した図２に示す状態に対応している。
【手続補正７】
【補正対象書類名】明細書
【補正対象項目名】００６９
【補正方法】変更
【補正の内容】
【００６９】
図６は、カメラシステムがＥＶＦモードに設定されているときのミラーユニットの状態（第２の光路分割状態、透過／反射状態：第２の状態）を示す図であり、上述した図３に示す状態に対応している。
【手続補正８】
【補正対象書類名】明細書
【補正対象項目名】００７４
【補正方法】変更
【補正の内容】
【００７４】
図７は、カメラシステムが撮影モードに設定されているときのミラーユニットの状態（第３の光路分割状態、退避状態：画像記録時）を示す図であり、上述した図４に示す状態に対応している。
【手続補正９】
【補正対象書類名】明細書
【補正対象項目名】００７５
【補正方法】変更
【補正の内容】
【００７５】
第３の光路分割状態において、ハーフミラー１０１およびサブミラー２０２は撮影光路から退避している。これにより、撮影光学系からの光は直接撮像素子に向かうようになっている。なお、この状態では、実際にはハーフミラー１０１およびサブミラー２０２による光路分割は行われないが、本実施例では、この状態を第３の光路分割状態という。
【手続補正１０】
【補正対象書類名】明細書
【補正対象項目名】００９２
【補正方法】変更
【補正の内容】
【００９２】
また、ハーフミラーカム軸１０６はハーフミラーホルダーリンク１１０に当接している。これにより、ハーフミラー受け板１０２とハーフミラーホルダーリンク１１０の間の角度を安定させることができる。そして、ハーフミラー受け板１０２をハーフミラー位置決め部材３５０に当接させることで、ハーフミラー１０１を第１の光路分割状態に応じた位置（撮影光学系からの光をファインダ光学系に反射させる位置）に維持させることができる。
【手続補正１１】
【補正対象書類名】明細書
【補正対象項目名】０１３１
【補正方法】変更
【補正の内容】
【０１３１】
＜ＯＶＦモードから撮影動作を行う場合＞
ＯＶＦモード（第１の光路分割状態）にて被写体像を観察しているときに、ＳＷ２のオンによる撮影動作の開始が指示されると、ミラーユニットは図１７に示す状態から図１８に示す状態を経て図１９に示す状態となる。そして、図１９に示す状態において、シャッタユニット４００におけるシャッタ先幕４１１およびシャッタ後幕４２１の走行動作が順次開始されることで、撮像素子への露光が行われる。
【手続補正１２】
【補正対象書類名】明細書
【補正対象項目名】０１５９
【補正方法】変更
【補正の内容】
【０１５９】
ステップＳ２１０では、シャッタ３０のシャッタ後幕を重畳状態で保持させたままシャッタチャージ動作を行い、撮影に備えてシャッタ先駆動レバー４１２およびシャッタ後駆動レバー４２２をチャージすることで、シャッタを閉じ状態とする。ステップＳ２２０では、ＥＶＦモードにおいて設定されているピント補正モードをオフとする。